(57)【要約】【課題】冷熱、電力、高温熱、温熱を供給するエネルギー機器の少なくとも一つを備えた需要家エネルギーシステムの最適性を全体として評価可能とすることである。【解決手段】需要家エネルギーシステムにおける冷熱負荷、温熱負荷、高温熱負荷、電力負荷のエネルギー需要曲線を取得し、需要家エネルギーシステムにおけるエネルギー機器を選択し、選択したエネルギー機器によるエネルギー供給量及びエネルギー需要量を算出しエネルギー需要曲線を更新する。そして、買電電力量を算出し、算出した電力量に基づいて電力需要曲線を更新し、更新されたエネルギー需要曲線が最初に取得したエネルギー需要曲線を満たすときは、需要家エネルギーシステムで需要するエネルギーを得るためのコスト、環境への影響、一次エネルギーの資源節約を評価する。【選択図】  図１
2008182865.tif 000002
【特許請求の範囲】
【請求項１】
エネルギー負荷として、冷熱負荷、温熱負荷、高温熱負荷の少なくとも一つと電力負荷とを有し、前記エネルギー負荷にエネルギーを供給するエネルギー機器として、冷熱を供給する冷熱供給機器、電力及び蒸気を供給するコジェネレーション機器、蒸気を供給する高温熱供給機器、温熱を供給する温熱供給機器の少なくとも一つを備え、前記エネルギー機器から前記エネルギー負荷にエネルギーを供給する需要家エネルギーシステムを評価する需要家エネルギーシステムの評価方法において、前記需要家エネルギーシステムにおけるエネルギー負荷のエネルギー需要曲線を取得するステップと、前記エネルギー機器を順番に選択するステップと、選択したエネルギー機器によるエネルギー供給量及びエネルギー需要量を算出するステップと、算出したエネルギー供給量及びエネルギー需要量に基づいて前記エネルギー需要曲線を更新するステップと、前記エネルギーのうちの電力につき買電電力量を算出するステップと、算出した買電電力量に基づいて前記エネルギー需要曲線のうちの電力需要曲線を更新するステップと、更新されたエネルギー需要曲線が最初に取得したエネルギー需要曲線を満たすときは、前記需要家エネルギーシステムで需要するエネルギーを得るためのコスト、環境への影響、一次エネルギーの資源節約の少なくとも一つを評価するステップとを備えたことを特徴とする需要家エネルギーシステムの評価方法。
【請求項２】
エネルギー負荷として、冷熱負荷、温熱負荷、高温熱負荷の少なくとも一つと電力負荷とを有し、前記エネルギー負荷にエネルギーを供給するエネルギー機器として、冷熱を供給する冷熱供給機器、電力及び蒸気を供給するコジェネレーション機器、蒸気を供給する高温熱供給機器、温熱を供給する温熱供給機器の少なくとも一つと蓄電池とを備え、前記エネルギー機器から前記エネルギー負荷にエネルギーを供給する需要家エネルギーシステムを評価する需要家エネルギーシステムの評価方法において、前記需要家エネルギーシステムにおけるエネルギー負荷のエネルギー需要曲線を取得するステップと、前記エネルギー機器を順番に選択するステップと、選択したエネルギー機器によるエネルギー供給量及びエネルギー需要量を算出するステップと、算出したエネルギー供給量及びエネルギー需要量に基づいて前記エネルギー需要曲線を更新するステップと、前記蓄電池の充放電量を算出するステップと、算出した蓄電池の充放電量に基づいて買電電力量を算出するステップと、算出した買電電力量に基づいて前記エネルギー需要曲線のうちの電力需要曲線を更新するステップと、更新されたエネルギー需要曲線が最初に取得したエネルギー需要曲線を満たすときは、前記需要家エネルギーシステムで需要するエネルギーを得るためのコスト、環境への影響、一次エネルギーの資源節約の少なくとも一つを評価するステップとを備えたことを特徴とする需要家エネルギーシステムの評価方法。
【請求項３】
前記エネルギー機器の選択は、前記エネルギー機器が本来供給するエネルギーに対するエネルギー需要曲線以外のエネルギー需要曲線に変動を与える数が多い順番、あるいは変動を与える量が大きい順番に選択することを特徴とする請求項１または２記載の需要家エネルギーシステムの評価方法。
【請求項４】
前記エネルギー機器の選択は、前記冷熱供給機器、前記コジェネレーション機器、前記高温熱供給機器、前記温熱供給機器の順に機器を選択し、機器の選択に応じて、前記冷熱需要曲線、前記高温熱需要曲線、前記温熱需要曲線、前記電力需要曲線を更新し、前記冷熱需要曲線、前記高温熱需要曲線、前記温熱需要曲線、前記電力需要曲線の順にそれらを求めることを特徴とする請求項１または２に記載の需要家エネルギーシステムの評価方法。
【請求項５】
請求項１乃至４のいずれか一に記載の需要家エネルギーシステムの評価方法をコンピュータにより実行させるプログラム。
【発明の詳細な説明】
【技術分野】
【０００１】
本発明は、冷熱、電力、高温熱、温熱を供給するエネルギー機器の少なくとも一つを備えた需要家エネルギーシステムの評価方法及びプログラムに関する。
【背景技術】
【０００２】
需要家のエネルギーシステムを最適化するプログラムとしては、需要家の電力・熱需要曲線に対して部分負荷領域での運用を考慮し、コジェネレーション機器をシミュレーションし最適な省エネルギーシステムを設計するようにしたものがある（例えば、特許文献１参照）。すなわち、省エネルギーシステムを構成する動力・電気・蒸気・冷熱発生装置の運用領域における負荷と効率、排気ガス組成等の性能、初期設備費、維持費などを関数として表しておき、あるエネルギー消費マップに対し、構成装置を順次組み合わせてその全ての運用領域における積分した性能値を算出することで、最適な省エネルギーシステムを設計するものである。
【０００３】
また、特願２００５−１５７６５６に示されるように、少ない量の基礎データを用いて需要家エネルギーシステムでの負荷曲線を生成するようにしたものがある。業種毎に雛形負荷曲線のデータを格納した雛形負荷曲線格納部から顧客の業種及び当該顧客の最大電力使用単位期間に対応する第１の雛形負荷曲線のデータを読み出し、読み出した第１の雛形負荷曲線のデータを顧客の最大電力使用単位期間における計算上の電気料金が同一単位期間における顧客の実際の電気料金と一致するように修正して、最大電力使用単位期間における第１の電力負荷曲線を生成し電力負荷曲線格納部に格納する。また、雛形負荷曲線格納部から、顧客の業種及び未処理の料金計算単位期間に対応する第２の雛形負荷曲線のデータを読み出し、読み出した第２の雛形負荷曲線のデータを電力負荷曲線格納部に格納された第１の電力負荷曲線の指数パラメータをそのまま用いた上で未処理の料金計算単位期間における計算上の電気料金が同一料金計算単位期間における顧客の実際の電力料金と一致するように修正して、未処理の料金単位期間における第２の電力負荷曲線を生成し電力負荷曲線格納部に格納する。
【０００４】
これにより、負荷曲線のための詳細なデータを有しない顧客でも、顧客の業種、最大電力使用単位期間、実際の電気料金などを取得することが比較的容易となり、電力負荷曲線を容易に生成することができる。
【特許文献１】特開２００２−３７１９１４号公報
【発明の開示】
【発明が解決しようとする課題】
【０００５】
しかし、特許文献１のものは、コジェネレーションやコンバインドサイクル発電システムなどを挿入する際の省エネルギーシステム設計方法及びプログラムであり、冷熱、電力、高温熱、温熱を供給するエネルギー機器を備えた需要家エネルギーシステムの全体を評価するものではない。近年、エネルギー機器は、コジェネレーションやコンバインドサイクル発電システムに加え、蓄電池、冷凍機、ヒートポンプ等、多様化しており、これらのエネルギー機器を備えた需要家エネルギーシステムの全体を評価することが望まれている。
【０００６】
一方、特願２００５−１５７６５６のものは、少ない量の基礎データを用いて需要家エネルギーシステムでの負荷曲線を生成することはできるが、生成された負荷曲線を用いて需要家エネルギーシステムを最適化となるように評価することについては考慮がない。
【０００７】
本発明の目的は、冷熱、電力、高温熱、温熱を供給するエネルギー機器の少なくとも一つを備えた需要家エネルギーシステムの最適性を全体として評価できる需要家エネルギーシステムの評価方法及びプログラムを得ることである。
【課題を解決するための手段】
【０００８】
請求項１の発明に係わる需要家エネルギーシステムの評価方法は、エネルギー負荷として、冷熱負荷、温熱負荷、高温熱負荷の少なくとも一つと電力負荷とを有し、前記エネルギー負荷にエネルギーを供給するエネルギー機器として、冷熱を供給する冷熱供給機器、電力及び蒸気を供給するコジェネレーション機器、蒸気を供給する高温熱供給機器、温熱を供給する温熱供給機器の少なくとも一つを備え、前記エネルギー機器から前記エネルギー負荷にエネルギーを供給する需要家エネルギーシステムを評価する需要家エネルギーシステムの評価方法において、前記需要家エネルギーシステムにおけるエネルギー負荷のエネルギー需要曲線を取得するステップと、前記エネルギー機器を順番に選択するステップと、選択したエネルギー機器によるエネルギー供給量及びエネルギー需要量を算出するステップと、算出したエネルギー供給量及びエネルギー需要量に基づいて前記エネルギー需要曲線を更新するステップと、前記エネルギーのうちの電力につき買電電力量を算出するステップと、算出した買電電力量に基づいて前記エネルギー需要曲線のうちの電力需要曲線を更新するステップと、更新されたエネルギー需要曲線が最初に取得したエネルギー需要曲線を満たすときは、前記需要家エネルギーシステムで需要するエネルギーを得るためのコスト、環境への影響、一次エネルギーの資源節約の少なくとも一つを評価するステップとを備えたことを特徴とする。
【０００９】
請求項２の発明に係わる需要家エネルギーシステムの評価方法は、エネルギー負荷として、冷熱負荷、温熱負荷、高温熱負荷の少なくとも一つと電力負荷とを有し、前記エネルギー負荷にエネルギーを供給するエネルギー機器として、冷熱を供給する冷熱供給機器、電力及び蒸気を供給するコジェネレーション機器、蒸気を供給する高温熱供給機器、温熱を供給する温熱供給機器の少なくとも一つと蓄電池とを備え、前記エネルギー機器から前記エネルギー負荷にエネルギーを供給する需要家エネルギーシステムを評価する需要家エネルギーシステムの評価方法において、前記需要家エネルギーシステムにおけるエネルギー負荷のエネルギー需要曲線を取得するステップと、前記エネルギー機器を順番に選択するステップと、選択したエネルギー機器によるエネルギー供給量及びエネルギー需要量を算出するステップと、算出したエネルギー供給量及びエネルギー需要量に基づいて前記エネルギー需要曲線を更新するステップと、前記蓄電池の充放電量を算出するステップと、算出した蓄電池の充放電量に基づいて買電電力量を算出するステップと、算出した買電電力量に基づいて前記エネルギー需要曲線のうちの電力需要曲線を更新するステップと、更新されたエネルギー需要曲線が最初に取得したエネルギー需要曲線を満たすときは、前記需要家エネルギーシステムで需要するエネルギーを得るためのコスト、環境への影響、一次エネルギーの資源節約の少なくとも一つを評価するステップとを備えたことを特徴とする。
【００１０】
請求項３の発明に係わる需要家エネルギーシステムの評価方法は、請求項１または２の発明において、前記エネルギー機器の選択は、前記エネルギー機器が本来供給するエネルギーに対するエネルギー需要曲線以外のエネルギー需要曲線に変動を与える数が多い順番、あるいは変動を与える量が大きい順番に選択することを特徴とする。
【００１１】
請求項４の発明に係わる需要家エネルギーシステムの評価方法は、請求項１または２の発明において、前記エネルギー機器の選択は、前記冷熱供給機器、前記コジェネレーション機器、前記高温熱供給機器、前記温熱供給機器の順に機器を選択し、機器の選択に応じて、前記冷熱需要曲線、前記高温熱需要曲線、前記温熱需要曲線、前記電力需要曲線を更新し、前記冷熱需要曲線、前記高温熱需要曲線、前記温熱需要曲線、前記電力需要曲線の順にそれらを求めることを特徴とする。
【００１２】
請求項５の発明に係わるプログラムは、請求項１乃至４のいずれか一に記載の需要家エネルギーシステムの評価方法をコンピュータにより実行させることを特徴とする。
【発明の効果】
【００１３】
本発明によれば、冷熱、電力、高温熱、温熱を供給するエネルギー機器を含んだ多様なエネルギー機器の需要家エネルギーシステムであっても、需要家に最適なエネルギー機器を選択でき、その需要家エネルギーシステム全体としての条件で評価できる。
【発明を実施するための最良の形態】
【００１４】
図１は本発明の実施の形態に係わる需要家エネルギーシステムの評価方法を示すフローチャート、図２は需要家エネルギーシステムの一例を示す構成図である。
【００１５】
まず、需要家エネルギーシステムについて説明する。図２において、需要家エネルギーシステムは、多種のエネルギー機器を有し、エネルギー負荷である電力負荷１１、冷熱負荷１２、温熱負荷１３、高温熱負荷１４にそれぞれエネルギーを供給する。そして、不足する電力は外部の電力系統１５から買電する。図２では、エネルギー機器として、冷熱を供給する冷熱供給機器１６、１００℃以下の温熱を供給する温熱供給機器１７、１００℃を超える高温熱を供給する高温熱供給機器１８、高温熱と電力を供給するコジェネレーション機器１９及び電力を充放電する蓄電池２０を備えたものを示している。
【００１６】
冷熱供給機器１６は、例えば冷凍機であり冷熱負荷１２に冷熱を供給する。冷凍機には電力をエネルギー源とするターボ式冷凍機２１、蒸気をエネルギー源とする蒸気吸収式冷凍機２２、温水をエネルギー源とする温水吸収式冷凍機２３、燃料をエネルギー源とする直炊き式冷凍機２４などがある。このように、冷熱供給機器１６は、その種類により消費するエネルギー源が異なることになる。
【００１７】
温熱供給機器１７は、例えばヒートポンプ２８や温水ボイラ２５であり温熱負荷１３や温水吸収式冷凍機２３に温熱を供給する。ヒートポンプ２８は電力をエネルギー源とし、温水ボイラ２５は燃料をエネルギー源とする。温熱供給機器１７についても、その種類により消費するエネルギーが異なることになる。
【００１８】
高温熱供給機器１８は、例えばボイラ２９であり高温熱負荷１４や蒸気吸収式冷凍機２２に高温熱（蒸気）を供給する。ボイラ２９は燃料をエネルギー源とし、また、給水ポンプを駆動する電力をエネルギー源とする。
【００１９】
コジェネレーション機器１９は、例えば発電機を駆動するガスタービンやガスエンジン、あるいはガスタービンと蒸気タービンとを有したコンバインド発電ユニットであり、発電機で発電した電力を電力負荷１１に供給するとともに、ガスタービンやガスエンジンの排ガスを高温熱として高温熱負荷１４に供給したり、排ガスで蒸気を発生して蒸気タービンを駆動して蒸気を高温熱負荷１４に供給したり、冷熱供給機器１６の蒸気吸収式冷凍機２２に蒸気を供給したりする。さらには、冷熱供給機器１６の温水吸収式冷凍機２３に温熱を供給したり、必要に応じて温熱負荷１３にも温熱を供給する。このコジェネレーション機器１９は主として燃料をエネルギー源とする。
【００２０】
蓄電池２０は、例えばＮＡＳ電池であり、需要家エネルギーシステムの電力負荷１１の電力需要が少ないときは電力会社からの買電電力を蓄電池２０に蓄電し、電力負荷１１の電力需要が多いときは蓄電池２０から電力負荷１１に電力を供給して、電力会社からの買電電力を平準化する。
【００２１】
本発明の実施の形態では、このような需要家エネルギーシステムにおいて、エネルギー機器の最適性を評価する。評価対象となる需要家エネルギーシステムは既設のものだけでなく新設のものも含まれる。
【００２２】
図１において、需要家エネルギーシステムの評価を行うにあたっては、まず、評価対象となる需要家エネルギーシステムでのエネルギー需要を示すエネルギー需要曲線を取得する（Ｓ１）。例えば、評価対象となる需要家エネルギーシステムでの電力負荷１１の電力需要曲線、冷熱負荷１２の冷熱需要曲線、温熱負荷１３の温熱需要曲線、高温熱負荷１４の高温熱需要曲線等を取得する。このエネルギー需要曲線は、需要家エネルギーシステムの営業日または非営業日の１日、または月毎の需要曲線などである。これらエネルギー需要曲線は、特願２００５−１５７６５６に示されるものを使用することができる。
【００２３】
次に、評価対象となる需要家エネルギーシステムのすべてのエネルギー機器を選択し（Ｓ２）、選択した各々のエネルギー機器のデータを取得する（Ｓ３）。この場合、評価対象となる同種のエネルギー機器が複数台ある場合には、それらのエネルギー機器も選択することになる。そして、選択したエネルギー機器のエネルギー供給量及びエネルギー需要量を計算し（Ｓ４）、ステップＳ１で取得したエネルギー需要曲線を更新する（Ｓ５）。例えば、エネルギー機器が冷熱供給機器１６である場合には、前述したように、冷熱供給機器１６は、その種類により消費するエネルギー源が異なるので、冷熱供給機器１６が供給する冷熱供給量に基づき冷熱需要曲線だけでなく、冷熱供給機器１６を駆動するに必要なエネルギー源の需要曲線、例えば、電力需要曲線、温熱需要曲線、高温熱需要曲線も更新する。また、エネルギー機器がコジェネレーション機器である場合には、電力需要曲線、高温熱需要曲線、温熱需要曲線を更新し、エネルギー機器が高温熱供給機器１８である場合には、電力需要曲線、高温熱需要曲線を更新し、温熱供給機器１７である場合には、電力需要曲線、温熱需要曲線を更新する。
【００２４】
次に、電力需要曲線を満たすように、買電電力を算出し（Ｓ６）、算出した電力量に基づいてエネルギー需要曲線のうちの電力需要曲線を更新する（Ｓ７）。そして、更新されたエネルギー需要曲線がステップＳ１で取得したエネルギー需要曲線を満たすか否かの条件を判定し（Ｓ８）、その条件を満たさない場合にはステップＳ２に戻り、エネルギー機器選択を変更したりして、条件を満たすまでステップＳ２〜ステップＳ８までの処理を繰り返し行う。あるいは、ステップＳ１のエネルギー需要曲線を見直して、ステップＳ１〜ステップＳ８までの処理を繰り返し行うようにすることも可能である。
【００２５】
ステップＳ８の条件を満たすときは、そのときの需要家エネルギーシステムで需要するエネルギーを得るためのコスト、環境への影響、一次エネルギーの資源節約を評価する（Ｓ９）。
【００２６】
このように、エネルギー機器のエネルギー供給量だけでなく、そのエネルギー機器の駆動源であるエネルギー源をエネルギーの需要量として算出し、エネルギー需要曲線を更新し、更新したエネルギー需要曲線に基づいて需要家エネルギーシステムの全体を評価するので、需要家エネルギーシステムを構成するエネルギー機器の評価を適切に行うことができる。
【００２７】
ここで、ステップＳ２でのエネルギー機器の選択は、エネルギー機器が本来供給するエネルギーに対するエネルギー需要曲線以外のエネルギー需要曲線に変動を与える数が多い順番、あるいは変動を与える量が大きい順番に選択する。
【００２８】
例えば、エネルギー機器が本来供給するエネルギーに対するエネルギー需要曲線以外のエネルギー需要曲線に変動を与える数が多い順番で選択する場合には、冷熱供給機器１６を最初に選択する。これは、冷熱供給機器１６は、前述したように、その種類により消費するエネルギー源が異なるので、冷熱供給機器１６が本来供給するエネルギー（冷熱供給量）のエネルギー需要曲線（冷熱需要曲線）だけでなく、冷熱供給機器１６を駆動するに必要な複数のエネルギー源の需要曲線にも変動を与えるからである。すなわち、冷熱供給機器１６には、電力をエネルギー源とするターボ式冷凍機２１、蒸気をエネルギー源とする蒸気吸収式冷凍機２２、温水をエネルギー源とする温水吸収式冷凍機２３、燃料をエネルギー源とする直炊き式冷凍機２４などがあるので、本来の冷熱需要曲線に加え、電力需要曲線、温熱需要曲線、高温熱需要曲線の需要曲線にも変動を与える可能性があるからである。
【００２９】
一方、エネルギー機器が本来供給するエネルギーに対するエネルギー需要曲線以外のエネルギー需要曲線に変動を与える量が大きい順番に選択する場合は、そのエネルギー機器のエネルギー源の量の大きさを考慮することになる。例えば、高温熱供給機器１８であるボイラ２９の場合には、ボイラ２９に給水するための給水ポンプを駆動するのに電力が必要となるが、ボイラ２９の容量が大きい場合には給水ポンプの容量も大きくなるので、変動を与える電力量の変動も大きくなる。この場合、例えば、冷熱供給機器１６のターボ式冷凍機２２の使用電力量や温熱供給機器１７のヒートポンプ２８の使用電力量と比較し、電力需要曲線に変動を与える量が大きいものを優先的に選択することになる。
【００３０】
図３及び図４は、本発明の実施の形態に係わる需要家エネルギーシステムの評価方法の具体的な内容を示すフローチャートであり、エネルギー機器が本来供給するエネルギーに対するエネルギー需要曲線以外のエネルギー需要曲線に変動を与える数が多い順番にエネルギー機器を選択した場合の評価方法のフローチャートである。
【００３１】
まず、図１の場合と同様に、評価対象となる需要家エネルギーシステムでのエネルギー需要を示すエネルギー需要曲線を取得する（Ｓ１１）。そして、評価対象となる需要家エネルギーシステムの冷熱供給機器１６を選択するかどうかを判断し（Ｓ１２）、冷熱供給機器１６がある場合にはすべての冷熱供給機器１６を選択し、選択した冷熱供給機器１６のデータを取得し（Ｓ１３）、選択した冷熱供給機器１６の冷熱供給量及びエネルギー需要量を計算する（Ｓ１４）。既設の需要家エネルギーシステムである場合には既設の冷熱供給機器１６を選択し、新設の場合には新設に適用される冷熱供給機器１６を選択することになる。そして、ステップＳ１４で計算した冷熱供給機器１６の冷熱供給量及びエネルギー需要量に基づき、ステップＳ１１で取得したエネルギー需要曲線を更新する（Ｓ１５）。
【００３２】
前述したように、冷熱供給機器１６は、その種類により消費するエネルギー源が異なるので、例えば、電力をエネルギー源とするターボ式冷凍機を選択した場合には、冷熱需要曲線だけでなく電力需要曲線も更新する。蒸気をエネルギー源とする蒸気吸収式冷凍機を選択した場合には、冷熱需要曲線だけでなく高温熱需要曲線も更新し、温水をエネルギー源とする温水吸収式冷凍機を選択した場合には、冷熱需要曲線だけでなく温熱需要曲線も更新する。なお、燃料をエネルギー源とする直炊き式冷凍機を選択した場合には、冷熱需要曲線だけを更新することになる。この場合、冷熱供給機器１６の燃料の種類や消費量を取得し、後述のステップＳ３５の全体評価の際に使用する。
【００３３】
このように、冷熱供給機器１６は、種類によりエネルギー需要曲線のうちの冷熱需要曲線、電力需要曲線、高温熱需要曲線、温熱需要曲線のすべてに変動を与える可能性があるので、冷熱供給機器１６を最初に選択する。評価対象となる需要家エネルギーシステムに冷熱供給機器１６がない場合には、ステップＳ１２の判定で冷熱供給機器１６が選択されないのでステップＳ１６に移行する。
【００３４】
次に、評価対象となる需要家エネルギーシステムのコジェネレーション機器１９を選択するかどうかを判断し（Ｓ１６）、評価対象となる需要家エネルギーシステムにコジェネレーション機器１９がある場合にはすべてのコジェネレーション機器１９を選択する。コジェネレーション機器１９は、例えば発電機を駆動するガスタービンやガスエンジン、コンバインドサイクル発電ユニットであり、発電機で発電した電力を電力負荷１１に供給するとともに、ガスタービンやガスエンジンの排ガス、コンバインド発電ユニットの排熱回収ボイラで発生した蒸気を高温熱として高温熱負荷１４に供給し、さらには、必要に応じて温熱負荷１３にも温熱を供給する。このように、コジェネレーション機器１９は、エネルギー需要曲線のうちの電力需要曲線、高温熱需要曲線、温熱需要曲線に変動を与える可能性があるので、冷熱供給機器１６の次に選択することになる。
【００３５】
ステップＳ１６で、評価対象となる需要家エネルギーシステムのコジェネレーション機器１９が選択された場合には、電気出力主導（電主）か高温熱出力主導（熱主）かを判断し（Ｓ１７）、電主である場合には電主のコジェネレーション機器１９のデータを取得し（Ｓ１８）、そのコジェネレーション機器１９のエネルギー供給量及びエネルギー需要量を計算する（Ｓ１９）。そして、計算した電主のコジェネレーション機器１９のエネルギー供給量及びエネルギー需要量に基づきエネルギー需要曲線を更新する（Ｓ２０）。
【００３６】
一方、ステップＳ１７の判定で、熱主である場合には熱主のコジェネレーション機器１９のデータを取得し（Ｓ２１）、そのコジェネレーション機器１９のエネルギー供給量及びエネルギー需要量を計算する（Ｓ２２）。そして、計算した熱主のコジェネレーション機器１９のエネルギー供給量及びエネルギー需要量に基づきエネルギー需要曲線を更新する（Ｓ２３）。
【００３７】
前述したように、コジェネレーション機器１９がガスタービンと蒸気タービンとを有したコンバインドサイクル発電ユニットである場合には、主として燃料をエネルギー源とするが、排熱回収ボイラに水を供給するための給水ポンプの駆動に電力を必要とするので、その場合には高温熱需要曲線だけでなく電力需要曲線も更新する。さらには、ボイラから温熱負荷に温熱を供給する場合には温熱需要曲線も更新する。この場合、コジェネレーション機器１９の燃料の種類や消費量を取得し、後述のステップＳ３５の全体評価の際に使用する。
【００３８】
評価対象となる需要家エネルギーシステムにコジェネレーション機器１９がない場合には、ステップＳ１６の判定でコジェネレーション機器１９が選択されないので、図４のステップＳ２４に移行する。
【００３９】
次に、高温熱供給機器１８を選択するかどうかを判断する（Ｓ２４）。評価対象となる需要家エネルギーシステムに高温熱供給機器１８がある場合にはすべての高温熱供給機器１８を選択する。高温熱供給機器１８は例えばボイラであり、ボイラで発生した蒸気を高温熱負荷１４に供給する。このように、高温熱供給機器１８は、エネルギー需要曲線のうちの高温熱需要曲線や電力需要曲線に変動を与える可能性があるので、コジェネレーション機器１９の次に選択することになる。ステップＳ２４で、評価対象となる需要家エネルギーシステムの高温熱供給機器１８が選択された場合には、選択された高温熱供給機器１８のデータを取得し（Ｓ２５）、その高温熱供給機器１８の高温熱供給量及び電力需要量を計算する（Ｓ２６）。そして、計算した高温熱供給機器１８の高温熱供給量及び電力需要量に基づき、エネルギー需要曲線を更新する（Ｓ２７）。つまり、高温熱需要曲線及び電力需要曲線を更新する。この場合、高温熱供給機器１８の燃料の種類や消費量を取得し、後述のステップＳ３５の全体評価の際に使用する。
【００４０】
評価対象となる需要家エネルギーシステムに高温熱供給機器１８がない場合には、ステップＳ２４の判定で高温熱供給機器１８を選択されないのでステップＳ２８に移行する。
【００４１】
次に、温熱供給機器１７を選択するかどうかを判断する（Ｓ３１）。評価対象となる需要家エネルギーシステムに温熱供給機器１７がある場合にはすべての温熱供給機器１７を選択する。温熱供給機器１７は、例えばヒートポンプであり電力をエネルギー源とし、温熱負荷１３や温水吸収式冷凍機２３に温熱を供給する。このように、温熱供給機器１７は、エネルギー需要曲線のうちの温熱需要曲線や電力需要曲線に変動を与える可能性があるので、高温熱供給機器１８の次に選択することになる。ステップＳ２８で、評価対象となる需要家エネルギーシステムの温熱供給機器１７を選択した場合には、選択した温熱供給機器１７のデータを取得し（Ｓ２９）、その温熱供給機器１７の温熱供給量及び電力需要量を計算する（Ｓ３０）。そして、計算した温熱供給機器１７の温熱供給量及び電力需要量に基づき、エネルギー需要曲線を更新する（Ｓ３１）。つまり、温熱需要曲線及び電力需要曲線を更新する。この場合、温熱供給機器１７の燃料の種類や消費量を取得し、後述のステップＳ３５の全体評価の際に使用する。
【００４２】
評価対象となる需要家エネルギーシステムに温熱供給機器１７がない場合には、ステップＳ２８の判定で温熱供給機器１７が選択されないのでステップＳ３２に移行する。
【００４３】
次に、電力需要曲線を満たすように買電電力を算出し（Ｓ３２）、算出した電力量に基づいてエネルギー需要曲線のうちの電力需要曲線を更新する（Ｓ３３）。そして、更新されたエネルギー需要曲線がステップＳ１１で取得したエネルギー需要曲線を満たすか否かの条件を判定し（Ｓ３４）、その条件を満たさない場合にはステップＳ１２に戻り、エネルギー機器選択を変更したりして、条件を満たすまでステップＳ１２〜ステップＳ３４までの処理を繰り返し行う。あるいは、ステップＳ１１のエネルギー需要曲線を見直して、ステップＳ１１〜ステップＳ３４までの処理を繰り返し行う。ステップＳ３４の条件を満たすときは、そのときの需要家エネルギーシステムで需要するエネルギーを得るためのコスト、環境への影響、一次エネルギーの資源節約を評価する（Ｓ３５）。
【００４４】
このように、エネルギー機器の選択は、冷熱負荷、温熱負荷、高温熱負荷、電力負荷の各々のエネルギー需要曲線に変動を与えるエネルギー需要曲線の数が多い順番にエネルギー機器を選択する。つまり、冷熱供給機器１６、コジェネレーション機器１９、高温熱供給機器１８、温熱供給機器１７の順に機器を選択し、機器の選択に応じて、冷熱需要曲線、高温熱需要曲線、温熱需要曲線、電力需要曲線を更新し、冷熱需要曲線、高温熱需要曲線、温熱需要曲線、電力需要曲線の順にそれらを求める。そして、求めたエネルギー需要曲線に基づいて需要家エネルギーシステムの全体を評価するので、需要家エネルギーシステムを構成するエネルギー機器の評価を適切に行うことができる。
【００４５】
以上の説明では、エネルギー機器の選択は、エネルギー機器が本来供給するエネルギーに対するエネルギー需要曲線以外のエネルギー需要曲線に変動を与える数が多い順番の場合について説明したが、エネルギー機器が本来供給するエネルギーに対するエネルギー需要曲線以外のエネルギー需要曲線に変動を与える量が大きい順番に選択するようにしてもよい。
【００４６】
また、以上の説明では、エネルギー機器として蓄電池２０を備えていない場合について説明したが、エネルギー機器として蓄電池２０を備えた需要家エネルギーシステムにも適用できる。図３及び図５はエネルギー機器として蓄電池２０を備えた場合の需要家エネルギーシステムの評価方法を示すフローチャートである。
【００４７】
図５において、図４のステップＳ３１とステップＳ３２との間に、ステップＳ３６〜ステップ３８を追加して設けたものである。すなわち、すべての温熱供給機器１７を選択し終えエネルギー需要曲線を更新した後に、需要家エネルギーシステムの蓄電池２０を選択するか否かを判定し（Ｓ３６）、評価対象となる需要家エネルギーシステムに蓄電池２０がある場合にはすべての蓄電池２０を選択する。そして、蓄電池２０を選択した場合には、選択した蓄電池２０のデータを取得し（Ｓ３７）、選択した蓄電池２０の充放電量を算出する（Ｓ３８）。蓄電池２０の充放電量を算出すると、その充放電量に基づいて買電電力量を算出する（Ｓ３２）。そして、蓄電池２０の充放電量を加味して電力需要曲線を更新する（Ｓ３３）。
【００４８】
蓄電池２０は、電気料金が低価格の時間帯に、例えば電力会社からの供給電力を蓄電し、電気料金が高価格の時間帯に需要家エネルギーシステムの電力負荷１１に電力を供給して、電力会社からの供給電力を平準化するものであり、使用する蓄電池２０の容量により需要家エネルギーシステムにおける電力需要曲線を更新する。評価対象となる需要家エネルギーシステムに蓄電池２０がない場合には、ステップＳ３６の判定で蓄電池２０が選択されないのでステップＳ３２に移行する。
【００４９】
そして、更新されたエネルギー需要曲線がステップＳ１１で取得したエネルギー需要曲線を満たすか否かの条件を判定し（Ｓ３４）、その条件を満たさない場合にはステップＳ１２に戻り、エネルギー機器選択を変更したりして、条件を満たすまでステップＳ１２〜ステップＳ３４までの処理を繰り返し行う。あるいは、ステップＳ１１のエネルギー需要曲線を見直して、ステップＳ１１〜ステップＳ３４までの処理を繰り返し行う。ステップＳ３４の条件を満たすときは、そのときの需要家エネルギーシステムで需要するエネルギーを得るためのコスト、環境への影響、一次エネルギーの資源節約を評価する（Ｓ３５）。
【００５０】
このように、蓄電池２０を備えた需要家エネルギーシステムであっても、需要家に最適なエネルギー機器を選択でき、その需要家エネルギーシステム全体としての条件で評価できる。
【００５１】
前述したこれら需要家エネルギーシステムの評価方法は、コンピュータに実行させることのできるプログラムとして、記憶媒体に記憶し各装置に応用したり、通信媒体により伝送して各種装置に適用することも可能である。
【００５２】
図６は本発明のプログラムを実行するためのコンピュータの一例を示す構成図である。コンピュータは、メモリ（記憶部）３０と 、ＣＰＵ（演算処理部）３１と、ハードディスク・ドライブ（ＨＤＤ）３２と、表示装置３３に接続される表示制御部３４と、リムーバブル・ディスク３５用のドライブ装置３６と、入力装置３７と、ネットワークに接続するための通信制御部３８とがバス３９で接続されて構成されている。
【００５３】
オペレーティング・システム（ＯＳ）、Ｗｅｂブラウザや本発明のプログラムを含む各種アプリケーション・プログラムは、ＨＤＤ３２に格納されており、ＣＰＵ３０により実行される際にはＨＤＤ３２からメモリ３０に読み出される。必要に応じてＣＰＵ３１は、表示制御部３４、通信制御部３８、ドライブ装置３６を制御して必要な動作を行わせる。また、処理途中のデータについては、メモリ３０に格納され、必要があればＨＤＤ３２に格納される。
【００５４】
このようなコンピュータは、ＣＰＵ３１、メモリ３０などのハードウェアとＯＳ及び必要なアプリケーション・プログラムとが有機的に協働することにより、前述した需要家エネルギーシステムの評価方法の各種機能を実現する。
【図面の簡単な説明】
【００５５】
【図１】本発明の実施の形態に係わる需要家エネルギーシステムの評価方法を示すフローチャート。
【図２】需要家エネルギーシステムの一例を示す構成図。
【図３】本発明の実施の形態に係わる需要家エネルギーシステムの評価方法の具体的な内容を示すフローチャート（その１）。
【図４】本発明の実施の形態に係わる需要家エネルギーシステムの評価方法の具体的な内容を示すフローチャート（その２）。
【図５】エネルギー機器として蓄電池を備えた場合の需要家エネルギーシステムの評価方法を示すフローチャート。
【図６】本発明のプログラムを実行するためのコンピュータの一例を示す構成図。
【符号の説明】
【００５６】
１１…電力負荷、１２…冷熱負荷、１３…温熱負荷、１４…高温熱負荷、１５…電力系統、１６…冷熱供給機器、１７…温熱供給機器、１８…高温熱供給機器、１９…コジェネレーション機器、２０…蓄電池、２１…ターボ式冷凍機、２２…蒸気吸収式冷凍機、２３…温水吸収式冷凍機、２４…直炊き式冷凍機、２５…温水ボイラ、２８…ヒートポンプ、２９…ボイラ、３０…メモリ、３１…ＣＰＵ、３２…ＨＤＤ、３３…表示装置、３４…表示制御部、３５…リムーバブル、ディスク、３６…ドライブ装置、３７…入力装置、３８…通信制御部、３９…バス
【図１】
2008182865.tif 000003
【図２】
2008182865.tif 000004
【図３】
2008182865.tif 000005
【図４】
2008182865.tif 000006
【図５】
2008182865.tif 000007
【図６】
2008182865.tif 000008